(57)【要約】  塗布パッドから適量の消毒液等の医療用液体が均一に滲出し、所定量を正確に塗布することができる医療用液体のアプリケータを提供することを課題とする。  中空の筒状部材と、該筒状部材に内蔵されている液体容器と、該液体容器の開裂手段とを備えたハンドル部；及び、前記筒状部材の下端に傾斜断面となるように（一体的に）固着されている塗布パッドの取付板10と、該取付板に付着された塗布パッドとを備えた塗布部を有する医療用液体のアプリケータであって、取付板10には、周縁が肉厚に形成された土手部12、中央が凹部に形成された基底部13、基底部中央付近に前記溶液が取付板先端方向に向かって流出するように、基底部に対して傾斜開口している傾斜流出孔14、及び、円弧状又は三日月状に設けられ堰15が設けられている。傾斜流出孔から流出した溶液の流れは堰15により反転逆流し、塗布パットへの液体の浸透量が調整される。
2016208166.tif 000002
【特許請求の範囲】
【請求項１】
中空の筒状部材と、該筒状部材に内蔵されている液体容器と、該液体容器の開裂手段とを備えたハンドル部；及び、前記筒状部材の下端に傾斜断面となるように固着されている塗布パッドの取付板と、該取付板に付着された塗布パッドとを備えた塗布部；を有する医療用液体のアプリケータであって、
前記取付板には、周縁が肉厚に形成された土手部、中央が凹部に形成された基底部、基底部中央付近に前記液体容器から解放放出された溶液が取付板先端方向に向かって流出するように、基底部に対して傾斜開口している傾斜流出孔、及び、該傾斜流出孔から取付板先端方向の基底部に傾斜流出孔を円弧の中心側とする円弧状又は三日月状に堰が設けられていることを特徴とする医療用液体のアプリケータ。
【請求項２】
筒状部材が、下方に向かって細くなるテーパーを有する円筒形状であることを特徴とする請求項１記載のアプリケータ。
【請求項３】
液体容器の開裂手段が、筒状部材に挿入されているアクチュエータ・スリーブであることを特徴とする請求項１又は２記載のアプリケータ。
【請求項４】
塗布パッドと取付板が略オムスビ形状であることを特徴とする請求項１〜３のいずれか記載のアプリケータ。
【請求項５】
取付板上面を基準として、筒状部材の中心軸が取付板上面に対して、４０〜５０°傾斜していることを特徴とする請求項１〜４のいずれか記載のアプリケータ。
【請求項６】
取付板上面を基準として、取付板上面に対して垂直方向の高さにおいて堰が土手部よりも０．１〜１ｍｍ高いことを特徴とする請求項１〜５のいずれか記載のアプリケータ。
【請求項７】
堰が土手部よりも０．２５〜０．７５ｍｍ高いことを特徴とする請求項６記載のアプリケータ。
【請求項８】
円弧状又は三日月状に設けられている堰が、基底部表面を基準として、円弧の中心側からしてその上端に行くにしたがって遠ざかる方向に４０〜５０°傾斜していることを特徴とする請求項１〜７のいずれか記載のアプリケータ。
【発明の詳細な説明】
【技術分野】
【０００１】
本発明は、外科手術の分野で特に有用な、消毒液等の医療用液体を皮膚に塗布するためのアプリケータに関する。
【背景技術】
【０００２】
従来、手術前の外科用洗浄剤や消毒液を皮膚に塗布するためのアプリケータとしては、手術前の外科用洗浄又は塗布剤を皮膚に塗布するのに特に有用である、破断可能なタンク容器内に収納された液体を表面に塗布するための送り出し装置を備えた液体アプリケータ（特許文献１）や、液体入りガラス・アンプルを受け入れる柔軟な細長い中空円筒体を有するとともに、液体を小分け排出するためにアンプルの破砕機構を備えた携帯型液体アプリケータ（特許文献２）や、容器を備える中空の細長い部材と、前記中空の細長い部材から半径方向に外側に延びるフランジと、前記フランジに取り付けられている分配器要素とを有する、流体を塗布又は供給するためのアプリケータであって、前記分配器要素は、少なくとも２つのオリフィスと、少なくとも２つのオリフィスを分離する突出要素と、前記分配器要素の前記第１の側に取り付けられている吸収パッドとを含む、アプリケータ（特許文献３）が知られている。【０００３】
また、所望の表面に消毒剤を塗布するための、並びに消毒剤に由来する望ましくない副産物を選択的に除去するためのアプリケータ（特許文献４）、流体を収容するためのパケットと、パケットに外部圧力を印加してパケットを圧縮し、流体をパケットから解放することを可能にするように構成された可撓性の蓋を有するハンドルを備えたアプリケータ・デバイス（特許文献５）や、細長い中空体と塗布パッドと中空体内に挿入されるアクチュエータ・スリーブを有し、長手方向突出部を有するアクチュエータ・スリーブが中空体内を移動するとき、中空体の中の液体容器の蓋部に対して作用して開放し、液体容器から塗布パッドに液体を放出する塗布具（特許文献６）や、筒状に形成された本体部と、該本体部の一方の端部に装着された薬液を含浸する多孔質体と、他方の端部に嵌合されたスリットを有するキャップと、からなる外容器と、摘み部を有する蓋材にてシールされ前記薬液が封入された内容器と、からなる液体塗布具であって、前記内容器が、前記本体部に収納され、前記摘み部が前記キャップの方向に折り返され、前記スリットを通して前記外容器の外側に飛び出していることを特徴とする液体塗布具（特許文献７）が知られている。【０００４】
そしてまた、一方の端部に開口口を有し、他方の端部に含浸性を有する多孔質体が装着された、筒状に延長された本体と、薬液が充填され口部をシール材で封止されたボトルと、前記本体と前記ボトルとを連結する略筒状の接続体と、からなる液体塗布具であって、前記接続体は、内面に前記ボトルの口元と螺合するためのネジ状部と、外面に前記開口口に連携して可動する凸状リブと、が形成され、前記開口口は、側壁に、前記凸状リブをガイドする略Ｓ字状のガイド溝が形成され、内面に、中間棚が形成され、該中間棚の内面に前記シール材を破材するための穴を有した先端が鋭角な内筒が、軸線に沿って前記口部の方向に形成されていることを特徴とする液体塗布具（特許文献８）や、液体充填アンプルを受容するのに好適な中空本体と一体的に形成された、ヒンジ、握り部および足部を有するレバーを備え、足部はアンプルに隣接して位置付けられ、かつレバーが押し下げられるとアンプルを破砕して液体を放出するアプリケータ（特許文献９）が知られている。
【先行技術文献】
【特許文献】
【０００５】
【特許文献１】特開平６−２７７２９７号公報
【特許文献２】特表２００４−５１５２８５号公報
【特許文献３】特表２００８−５１５４８４号公報
【特許文献４】特表２００９−５２６６２４号公報
【特許文献５】特表２０１２−５１３８７９号公報
【特許文献６】特表２０１２−５１３８８０号公報
【特許文献７】特開２０１３−２３２７１号公報
【特許文献８】特開２０１３−２３２８２号公報
【特許文献９】特表２０１５−５１４５５１号公報
【発明の概要】
【発明が解決しようとする課題】
【０００６】
本発明の課題は、塗布パッドから適量の消毒液等の医療用液体が均一に滲出し、所定量を正確に塗布することができる医療用液体のアプリケータを提供することにある。
【課題を解決するための手段】
【０００７】
従来、下端に塗布パッドを有する中空の筒状部材に内蔵した消毒液等の液体を収容した容器を開裂させて、液体を筒状部材内に解放放出し、筒状部材の底部の孔から液体を流出させ、流出した液体を塗布パッドに浸透させ、皮膚に塗布するタイプのアプリケータにおいては、液体容器の開裂直後に液体が急激且つ一方向的に流出し、不均一に塗布パッドに浸透した結果、塗布する前や塗布中に液体が塗布パッドから滴下・液漏れすることがあったり、逆に液体の塗布パッドへの浸透量が部分的に少なくなり、スムーズに塗布パッドで均一に塗布できないことがあるという問題があった。【０００８】
そこで、本発明者らは上記課題を解決すべく、塗布パッドの形状、塗布パッドの表面状態、塗布パッドの材質、塗布パッドの取付板における周縁土手部に囲まれた凹部の容積、取付板の基底部に傾斜して開口している傾斜流出孔の大きさ、容器の開裂の仕方、消毒薬の種類等について種々検討する過程で、堰を設けることで流量や流れ方向を調節することができないかとの考えに至った。そして堰の形状や高さ・傾きについて試行錯誤を繰り返した結果、傾斜流出孔を円弧の中心側とする円弧状や三日月状の堰を設ける、とりわけ取付板周縁の土手部より僅かに高い堰を設けることにより、上記課題が解決できることを見いだした。【０００９】
すなわち本発明は以下のとおりである。
［１］中空の筒状部材と、該筒状部材に内蔵されている液体容器と、該液体容器の開裂手段とを備えたハンドル部；及び、前記筒状部材の下端に傾斜断面となるように固着されている塗布パッドの取付板と、該取付板に付着された塗布パッドとを備えた塗布部；を有する医療用液体のアプリケータであって、
前記取付板には、周縁が肉厚に形成された土手部、中央が凹部に形成された基底部、基底部中央付近に前記液体容器から解放放出された溶液が取付板先端方向に向かって流出するように、基底部に対して傾斜開口している傾斜流出孔、及び、該傾斜流出孔から取付板先端方向の基底部に傾斜流出孔を円弧の中心側とする円弧状又は三日月状に堰が設けられていることを特徴とする医療用液体のアプリケータ。
［２］筒状部材が、下方に向かって細くなるテーパーを有する円筒形状であることを特徴とする上記［１］記載のアプリケータ。
［３］液体容器の開裂手段が、筒状部材に挿入されているアクチュエータ・スリーブであることを特徴とする上記［１］又は［２］記載のアプリケータ。
［４］塗布パッドと取付板が略オムスビ形状であることを特徴とする上記［１］〜［３］のいずれか記載のアプリケータ。
［５］取付板上面を基準として、筒状部材の中心軸が取付板上面に対して、４０〜５０°傾斜していることを特徴とする上記［１］〜［４］のいずれか記載のアプリケータ。
［６］取付板上面を基準として、取付板上面に対して垂直方向の高さにおいて堰が土手部よりも０．１〜１ｍｍ高いことを特徴とする上記［１］〜［５］のいずれか記載のアプリケータ。
［７］堰が土手部よりも０．２５〜０．７５ｍｍ高いことを特徴とする上記［６］記載のアプリケータ。
［８］円弧状又は三日月状に設けられている堰が、基底部表面を基準として、円弧の中心側からしてその上端に行くにしたがって遠ざかる方向に４０〜５０°傾斜していることを特徴とする上記［１］〜［７］のいずれか記載のアプリケータ。
【発明の効果】
【００１０】
本発明のアプリケータによると、塗布パッドから消毒液等の医療用液体がしたたり落ちることなく、塗布パッドから適量の消毒液等の医療用液体が均一に滲出し、皮膚に所定量を正確に塗布することができる。
【図面の簡単な説明】
【００１１】
【図１】本発明のアプリケータ（２５ｍＬ）の正面図である。
【図２】本発明のアプリケータ（２５ｍＬ）の平面図である。
【図３】本発明のアプリケータ（２５ｍＬ）の底面図である。
【図４】塗布パッドを除いた本発明のアプリケータ（２５ｍＬ）の底面図である。
【図５】図４のＡ−Ａ部の拡大図（塗布パッドの取付板の正面図）である。
【図６】図５のＢ−Ｂ部の断面図である。
【図７】他の態様の本発明のアプリケータ（１０ｍＬ）の塗布パッドの取付板の正面図である。
【発明を実施するための形態】
【００１２】
以下の説明において、上下とは、図１〜４における右側を「上」、左側を「下」といい、先端とは、図５及び７における左側、図６における左斜め上をいう。
【００１３】
本発明の医療用液体のアプリケータは、中空の筒状部材と、該筒状部材に内蔵されている液体容器と、該液体容器の開裂手段とを備えたハンドル部；及び、前記筒状部材の下端に傾斜断面となるように固着されている塗布パッドの取付板と、該取付板に付着された塗布パッドとを備えた塗布部を有していれば特に制限されないが、塗布パッドの取付板の構造に特徴を有するものであり、ハンドル部や塗布パッドについては、前述の特許文献１〜９に開示された技術を基本的に適用することができる。
【００１４】
本発明のアプリケータのハンドル部を形成する中空の細長い筒状部材としては、開裂手段により、筒状部材に内蔵されている液体容器が開裂され、液体容器から液体が解放・放出され、解放・放出された液体が筒状部材の上部から流失することなく、取付板の基底部に設けられた傾斜流出孔から流出する構造を有しておればよく、例えば、長さが１０〜２０ｃｍ、直径や長辺が２〜４ｃｍの断面円形、楕円、矩形等の細長い中空筒状部材を挙げることができるが、下方に向かって縮径するテーパー状の円筒形状を好適に例示することができる。筒状容器の下端には、傾斜断面となるように塗布パッドの取付板が一体的に固着されている。また、取付板上面を水平基準とすると、筒状部材の中心軸は取付板上面に対して、３０〜６０°、好ましくは４０〜５０°傾斜して立設されている。筒状部材はプラスティック製で、ポリエチレン、ポリプロピレンなどのオレフィン系樹脂；ポリエチレンテレフタレート樹脂；ポリアミド樹脂；メチルメタクリレートブタジエンスチレン、メチルメタクリレートブタジエンスチレンn-ブチルアクリレートなどのＭＢＳ樹脂等で作製されるが、成型性、剛性などから適宜樹脂の選定、厚みの設定をすればよく、成型方法としては、射出成形、押出成形等を挙げることができる。
【００１５】
上記液体容器としては、消毒液、洗浄液等の医薬用液体が収容されており、筒状部材に内蔵することができ、開裂手段により液体が解放・放出され、解放・放出された液体が筒状部材の上部から流失することなく、取付板の基底部に設けられた傾斜流出孔から流出することができればよく、例えば、脆性アンプル、圧潰可能な容器、穿孔可能な容器、キャップが外れる容器などを挙げることができる。
【００１６】
上記開裂手段としては、筒状部材に内蔵されている液体容器を開裂し、液体容器から液体を解放・放出することができ、解放・放出された液体が筒状部材の上部から流失することなく、取付板の基底部に設けられた傾斜流出孔から流出させることができる手段であればよく、例えば、上端にキャップのある筒状部材に内蔵された脆性アンプルに対するレバー等のアンプル破壊用手段（特許文献１〜４及び９）、液体を収容するバケットを圧縮させる外部圧力印加手段（特許文献５）、筒状部材中を下方に押し下げることにより、液体容器の蓋を外すアクチュエータ・スリーブ（特許文献６）、液体容器を開封するためのシール剥がし手段（特許文献７及び８）等を挙げることができるが、液体容器の蓋を外すアクチュエータ・スリーブを好適に例示することができる。
【００１７】
上記塗布パッドの形状としては、例えば、１．５〜２ｍｍ程度の厚みを有する平面視が略オムスビ形状、長方形状、長円形状、円形状、三角形状、楕円形状等を挙げることができるが、塗布のスムーズさや取り扱いやすさの点で略オムスビ形状とすることが好ましい。また、塗布パッドの材質としては、消毒液等の液体を浸透含浸する性質を有する多孔質材料を好適に例示することができるが、その他の織物、不織布なども使用することができる。かかる多孔質材料等の原料としては、ポリオレフィン系、ポリウレタン系、ポリエチレテレフタレート系などの樹脂やセルロース系の線維を挙げることができる。かかる塗布パッドは、取付板に形成された土手部の頂面に熱融着又は接着剤により装着することができる。
【００１８】
上記取付板には、周縁が肉厚で頂面が平坦に形成された土手部、中央が凹部で底面が平坦に形成された基底部、基底部中央付近に前記溶液が取付板先端方向に向かって流出するように、基底部に対して傾斜開口している傾斜流出孔、及び、該傾斜流出孔から取付板先端方向の基底部に傾斜流出孔を円弧の中心側とする円弧状又は三日月状に堰が設けられている。また、上記取付板の形状としては、上記塗布パッドと同形状が好ましく、例えば略オムスビ形状の場合、基底部の形状も略オムスビ形状となり、その中心部附近に傾斜流出孔が設けられることになる。
【００１９】
傾斜流出孔は、基底部表面では先後方向に長い長円形状で開口し、孔の大きさはアプリケータの大きさにもよるが、通常長径が４〜６．５ｍｍ、短径３〜５ｍｍ程度である。また、堰は、基底部に傾斜流出孔を円弧の中心側とする円弧状又は三日月状に設けられるが、堰に対する傾斜流出孔の位置は、円弧の弦上から円弧と弦の間の円弧よりまで基底部の大きさにより適宜位置決めすることができ、傾斜流出孔（長円）先端から堰までの最短距離は２〜３ｍｍとすることが好ましい。
【００２０】
円弧状又は三日月状に設けられている堰が、基底部表面を基準として、その上端に行くにしたがって円弧の中心側からして同心円状に遠ざかる方向に４０〜５０°傾斜していることが好ましい。このように基底部表面に対して傾斜曲面として形成されていることにより、堰により阻まれた液体の流れを効率よく反転逆流させることができ、その結果溶液の一方的な先端方向への流れを規制して、塗布パッドに溶液を均一に浸透させることができる。
【００２１】
また、取付板上面を基準として、取付板上面に対して垂直方向の高さにおいて堰が土手部よりも高くすることが好ましく、高い部分（以下「突出部」ということもある）が、例えば０．１〜１ｍｍ、とりわけ０．２５〜０．７５ｍｍであることが好ましい。土手部よりも堰が高いことにより、堰の頂上部が塗布パットに食い込むことによって、液流が堰を乗り越えることを防止し、確実に反転逆流させることができる。特に、堰が傾斜曲面状の場合は液流が堰を乗り越えやすくなるので、堰を土手部よりも高くして堰の頂上部を塗布パットに食い込ませて、確実に反転逆流させることが好ましい。
【００２２】
上記医療用液体としては、消毒液や洗浄液を挙げることができ、より具体的には、ポビドンヨード液、エタノール液、イソプロパノール液、ヨウ化カリウム液、塩化ベンザルコニウム液、塩化ベンゼトニウム液、グルコン酸クロルヘキシジン液、グルタルアルデヒド液、オラネキシジン［１−（３，４−ジクロロベンジル）−５−オクチルビグアニド］液等を挙げることができ、これらは二種以上混合して用いることもできる。かかる医療用液体は、手術の直前に局所領域に塗布して用いることができる。
【００２３】
上記医療用液体は消毒成分や洗浄成分などの有効成分を液剤化したものであれば特に限定されず、例えば有効成分を精製水で希釈した水性製剤であってもよいし、エタノールやイソプロパノールなどの精製アルコールやこれらの水溶液で希釈したアルコール製剤であってもよい。有効成分の濃度も任意である。またアルコール製剤の場合のアルコール濃度も任意である。本医療用液体には有効成分の他、通常水性製剤やアルコール製剤として用いられている添加剤、例えば防腐剤、保湿剤、増粘剤、非イオン性界面活性剤、陽イオン性界面活性剤、抗酸化剤、香料、着色剤等も使用できる。液剤の粘度は塗布パッドを使用して塗布するのに実用上の支障がない範囲であれば限定されるものではないが、０．５〜１５．０ｍＰａ・ｓが好ましい。また、本発明のアプリケータは液漏れしやすい低粘度の液剤、即ち粘度が０．５〜４．０ｍＰａ・ｓ、特に０．５〜２．５ｍＰａ・ｓである液剤にも好適に用いることができる。ここで上記粘度はＪＩＳ  Ｚ８８０３  液体の粘度測定方法  円すい−平板形回転粘度計による粘度測定方法に準拠して測定される数値であり、測定温度は２０℃である。
【００２４】
本発明のアプリケータは、手術の直前に対象の局所領域に適用され、まず、ハンドル部の開裂手段を用いて液体容器を破砕、脱シール、脱蓋等により液体容器から液体を筒状部材内に解放・放出させ、傾斜流出孔から塗布部へと流出させる。傾斜流出孔から流出した液体の殆どは、取付板先端方向に向かって流れるが、堰により阻まれて一度後方へ反転・逆流し、土手部と堰の間の左右２つの隙間から回り込むようにして基底部先端方向へ流れ込むことになり、液体の流れが調節される。そして、液体が塗布パッドに十分浸透した後に皮膚に塗布される。
【００２５】
以下、本発明の医療用液体のアプリケータの実施態様を図面により説明する。図１〜６に示されているアプリケータ１は、中空の筒状部材２と、該筒状部材２に内蔵されている液体容器３と、筒状部材２に挿入されているアクチュエータ・スリーブ４とを備えたハンドル部、及び、筒状部材２の下端に傾斜断面となるように固着されている塗布パッド５の取付板１０と、該取付板１０に付着された略オムスビ形状の塗布パッド５とを備えた塗布部から構成されている。筒状部材２と取付板１０とはメチルメタクリレートブタジエンスチレン樹脂製で一体成形されており、塗布パッド５は空隙率８７％のポリエチレン製である。
【００２６】
下方に向かって細くなるテーパーを有する円筒形状の筒状部材２は、その最大外径約２８ｍｍで長さ（中心軸）が約１８．５ｃｍであり、取付板上面１１を基準として、筒状部材２の中心軸が取付板上面１１に対して、略４５°傾斜している。取付板１０の形状も塗布パッド５より少し小さめの相似形である略オムスビ形状をしており、先後方向の長さ約６ｃｍ、後方部の幅が約４．５ｃｍである。
【００２７】
上記取付板１０には、周縁が肉厚に形成された土手部１２、中央が凹部に形成された基底部１３、基底部中央付近に前記溶液が取付板先端方向に向かって流出するように、基底部１３に対して傾斜開口している傾斜流出孔１４、及び、該傾斜流出孔１４から取付板先端方向の基底部１３に傾斜流出孔１４を円弧の中心側とする円弧状に堰１５が設けられている。土手部１２に対する基底部１３の深さは約２ｍｍであり、また傾斜流出孔１４の径（長径と短径の中間値）は約３．５ｍｍ（２５ｍＬ）又は約４．５ｍｍ（１０ｍＬ）であり、円弧と弦の間の円弧よりに傾斜流出孔１４が設けられている。
【００２８】
堰１５は、取付板上面１１を基準として、取付板上面１１に対して垂直方向の高さにおいて土手部１２よりも０．５ｍｍ高く（突出部０．５ｍｍ）、また、円弧状に設けられている堰１５は、基底部表面１６を基準として、その上端に行くにしたがって円弧の中心側からして同心円状に遠ざかる方向に４５°傾斜して設けられている。堰１５の厚みは約１．５ｍｍである。
【００２９】
［実施例１］
空隙率８７％のポリエチレン製塗布パッドと突出部を有する堰を備えた本発明のアプリケータ（２５ｍＬ）を用いて、オラネキシジン液（ＯＰＢ）の液漏れ試験を実施した。傾斜流出孔の孔径（長径と短径の中間値）は、３．２５ｍｍ、３．５ｍｍ、又は４．０ｍｍとし、突出部は０．２５ｍｍ、０．５ｍｍ、又は０．７５ｍｍとした。結果を表１に示す。表中の分数表記の分母は総サンプル数、分子は液漏れサンプル数を表す。表１からわかるように、傾斜流出孔の孔径が３．２５〜４．０ｍｍでは液漏れはなかった。
【００３０】
【表１】
2016208166.tif 000003
【００３１】
［実施例２］
空隙率８７％のポリエチレン製塗布パッドと突出部を有する堰を備えた本発明のアプリケータ（１０ｍＬ）を用いて、オラネキシジン液（ＯＰＢ）とポピドンヨード液（ＰＶＩ）の液漏れ試験を実施した。傾斜流出孔の孔径（長径と短径の中間値）は、実施例１より少し大きく４．２５ｍｍ又は４．５ｍｍとし、突出部は０．２５ｍｍ又は０．５ｍｍとした。結果を表２と表３に示す。その結果、孔径を大きくしても、ほとんど液漏れしないことがわかった。
【００３２】
【表２】
2016208166.tif 000004
【００３３】
【表３】
2016208166.tif 000005
【００３４】
［比較例］
空隙率８７％のポリエチレン製塗布パッドを備え、堰を備えていない、傾斜流出孔の孔径（長径と短径の中間値）２．５ｍｍの従来のアプリケータ（１０ｍＬ）及びアプリケータ（２５ｍＬ）を用いて、オラネキシジン液（ＯＰＢ）とポピドンヨード液（ＰＶＩ）のそれぞれ液漏れ試験を実施した。ＰＶＩについては、アプリケータ（１０ｍＬ）及びアプリケータ（２５ｍＬ）の両方とも液漏れが認められなかったが、ＯＰＢについては、孔径２．５ｍｍにもかかわらず、アプリケータ（１０ｍＬ）及びアプリケータ（２５ｍＬ）の両方ともかなりの液漏れが認められた。
【００３５】
上記実施例１、２及び比較例で用いたオラネキシジン液は、オラネキシジンの濃度が１．５％であるグルコン酸とポリアルキレングリコールを含む水溶液であり、その粘度は１．２ｍＰａ・ｓであった。また、実施例２、及び比較例で用いたポピドンヨード液は１０％ポピドンヨード製剤であり、グリセリン、ヨウ化カリウム、ラウロマクロゴール、無水リン酸一水素ナトリウム、クエン酸水和物及び水酸化ナトリウムを含む水溶液であり、その粘度は４．５ｍＰａ・ｓであった。粘度はＪＩＳ  Ｚ８８０３  液体の粘度測定方法  円すい−平板形回転粘度計による粘度測定方法に準拠し、温度２０℃で測定された。
【産業上の利用可能性】
【００３６】
本発明の医療用液体のアプリケータは、外科手術等の医療分野で有用である。
【符号の説明】
【００３７】
１  アプリケータ
２  筒状部材
３  液体容器
４  アクチュエータ・スリーブ
５  塗布パッド
１０  取付板
１１  取付板上面
１２  土手部
１３  基底部
１４  傾斜流出孔
１５  堰
１６  基底部表面
【図１】
2016208166.tif 000006
【図２】
2016208166.tif 000007
【図３】
2016208166.tif 000008
【図４】
2016208166.tif 000009
【図５】
2016208166.tif 000010
【図６】
2016208166.tif 000011
【図７】
2016208166.tif 000012
【国際調査報告】
2016208166.tif 000013
2016208166.tif 000014
2016208166.tif 000015